(57)【要約】【課題】一旦分離した被選別粉粒体の成分要素のうち指定量のみを別工程を設けることなく回収し得る粉粒体用風力選別装置を提供する。【解決手段】この粉粒体用風力選別装置１００は、傾斜角を調整可能な選別室１０と、選別室１０の最上流に設けられた送風機２と、選別室１０の下面にあって水平方向の位置が送風機２よりも下流側に位置する第一回収路と、選別室１０の上面にあって水平方向の位置が第一回収路よりも下流側に位置する投入口１と、選別室１０の下面にあって水平方向の位置が投入口１よりも下流側に位置する第二回収路と、選別室１０の下面にあって第二回収路の上流側に位置する遮風板７と、選別室１０の下面にあって選別室１０の最下流に位置する第三回収路と、第三回収路から分岐されて上流方向に延ばされた分岐路１１と、第三回収路と分岐路１１との分岐点に設けられた仕分板６と、を備える。【選択図】図１
2019166512.tif 000002
【特許請求の範囲】
【請求項１】
固形物を微粉化した粉粒体を構成する複数の成分要素相互を比重の違いにより選別する風力選別装置であって、
選別流路に、選別する成分要素の回収量を調整可能な複数の回収路を設けたことを特徴とする粉粒体用風力選別装置。
【請求項２】
前記選別流路の延在方向に沿って設けられた選別室と、
該選別室の選別流路の最上流に設けられた送風機と、
前記選別室の下部にあって選別流路の延在方向での位置が前記送風機よりも下流側に位置する第一回収路と、
前記選別室の上部にあって選別流路の延在方向での位置が前記第一回収路よりも下流側に位置する投入口と、
前記選別室の下部にあって選別流路の延在方向での位置が前記投入口よりも下流側に位置する第二回収路と、
前記選別室の下部にあって前記第二回収路よりも選別流路の上流側に設けられた遮風板と、
前記選別室の下部にあって前記第二回収路よりも選別流路の下流側に設けられた第三回収路と、
前記第三回収路から分岐されて選別流路の延在方向での上流方向に向けて延ばされた分岐路と、
前記第三回収路と前記分岐路との分岐点に設けられた仕分板と、
を備える請求項１に記載の粉粒体用風力選別装置。
【請求項３】
前記選別流路の排気量を調整可能な排気量調整機構を有する排気量調整管と、
前記送風機の風量を調整する風量調整機構と、
前記遮風板の角度を調整する遮風角度調整機構と、
前記選別室の傾斜角度を調整する傾斜角度調整機構と、
前記仕分板の仕分角度を調整する仕分角度調整機構と、
前記風量調整機構、前記遮風角度調整機構、前記傾斜角度調整機構および前記仕分角度調整機構並びに前記排気量調整機構をそれぞれ制御する処理を実行するコントローラと、
を備える請求項２に記載の粉粒体用風力選別装置。
【請求項４】
選別対象が、比重が比較的高い高比重要素、中くらいの中比重要素および小さい小比重要素の三つの成分要素からなる粉砕混合物であり、該三つの成分要素を、前記第一回収路、前記第二回収路および前記第三回収路の順に、各成分要素の比重に応じて一の工程により各回収路に選別するとともに、前記粉砕混合物から前記中比重要素の全量と共に前記小比重要素の所望量を小比重要素回収量として前記第二回収路から回収する請求項３に記載の粉粒体用風力選別装置。
【請求項５】
前記コントローラは、
前記粉砕混合物の投入量に対する高比重要素分離量が、成分分析試験等の試験によって得られたデータから求められた高比重要素分離比設定値に対する所定範囲内になるように、
前記風量調整機構で前記送風機の風量を調整するステップと、
前記遮風角度調整機構で前記遮風板の角度を調整するステップと、
前記傾斜角度調整機構で前記選別室の傾斜角度を調整するステップと、
の３段階のステップによって調整する請求項４に記載の粉粒体用風力選別装置。
【請求項６】
前記コントローラは、
前記高比要素重分離量が前記所定範囲内に安定した後に、
前記粉砕混合物の投入量に対する小比重要素分離比が、小比重要素分離比設定値に基づいて設定される適正範囲内となるように、
前記仕分角度調整機構で前記仕分板の仕分角度を調整するステップと、
前記排気量調整機構で前記排気量調整管の排気量を調整するステップと、
の２段階のステップによって調整する請求項５に記載の粉粒体用風力選別装置。
【請求項７】
前記粉砕混合物は、高比重要素が幼芽、中比重要素が穀皮および小比重要素が内皮である粉砕麦芽混合物であり、
前記コントローラによる調整ステップは、測定された回収量が適正値となるように制御する逐次フィードバック制御である請求項５または６に記載の粉粒体用風力選別装置。
【発明の詳細な説明】
【技術分野】
【０００１】
本発明は、固形物を微粉化した粉粒体を比重差により風力で選別する技術に関する。
【背景技術】
【０００２】
固形物を微粉化した粉粒体の成分要素を比重差により風力で選別し、選別した粉粒体の成分要素うち、本来は不要とされる成分要素の一部を原料として使用する場合がある。
例えば特許文献１に記載の技術によれば、ビールの原料である麦芽では、粉砕された麦芽は成分要素ごとに風味に及ぼす効果が様々であるとされ、粉砕麦芽混合物の成分要素によっては、不要とされる成分要素のうちの少量を原料に戻すことでその効果が確認されている。
【０００３】
ビールの原料である麦芽では、抜根された麦芽は粉砕されて胚乳を回収するところ、残留物は糠と呼ばれ、幼芽、穀皮および内皮から構成される。幼芽は、雑味の元となる不要な要素である。穀皮は、ろ過材として使用する必要な要素である。内皮は、色調を高める効果があるものの、多量に使用すると雑味の元になる要素である。糠を各成分に分離する工程は、まず、粉砕された麦芽がふるいにかけられ、内皮分のみが取り除かれ、次いで、成分要素の選別により穀皮と幼芽とが分離される。
【０００４】
ここで、成分要素に比重差のある混合物の分別方法の一つとして、風力を用いた選別方法があり、ごみの分別や、廃棄された電子基板の有価金属回収などに用いられる（特許文献２、特許文献３）。さらに、収穫時に、穀物と藁等とを選別するなど、粉粒体を比重差により風力で選別する技術は、穀物の分離にも有効な方法として知られている（特許文献４）。
【先行技術文献】
【特許文献】
【０００５】
【特許文献１】特開２０１３−１７２７５２号公報
【特許文献２】特開２００１−３００４２７号公報
【特許文献３】特開平６−２３８２３８号公報
【特許文献４】特開２００１−３２７９２３号公報
【発明の概要】
【発明が解決しようとする課題】
【０００６】
しかし、風力を用いて粉粒体を比重差により選別する方法では、分離した被選別粉粒体からその一部を回収する必要がある場合、分離した被選別粉粒体から一定量を回収する工程を別途設ける必要が生じる。
通常、この種の選別機は、選別対象の混合物を各成分要素それぞれに完全に分離させることを目的とするため、分離を行いつつ特定の成分要素の一部のみを指定量だけ回収することは困難である。例えば、選別した後にその成分要素の一部を原料に戻す場合、特許文献１に開示されるように、分離した内皮の一部を計量・回収する工程を必要とするので、工程数が増えてコストの増加を招くという問題がある。
そこで、本発明は、このような問題点に着目してなされたものであって、分離する被選別粉粒体の成分要素のうちの所望量を、別工程を設けることなく一つの工程中にて回収し得る粉粒体用風力選別装置を提供することを課題とする。
【課題を解決するための手段】
【０００７】
上記課題を解決するために、本発明の一態様に係る粉粒体用風力選別装置は、固形物を微粉化した粉粒体を構成する複数の成分要素相互を比重の違いにより選別する風力選別装置であって、選別流路に、選別する成分要素の回収量を調整可能な複数の回収路を設けたことを特徴とする。
ここで、本発明の一態様に係る粉粒体用風力選別装置において、前記選別流路の延在方向に沿って設けられた選別室と、該選別室の選別流路の最上流に設けられた送風機と、前記選別室の下部にあって選別流路の延在方向での位置が前記送風機よりも下流側に位置する第一回収路と、前記選別室の上部にあって選別流路の延在方向での位置が前記第一回収路よりも下流側に位置する投入口と、前記選別室の下部にあって選別流路の延在方向での位置が前記投入口よりも下流側に位置する第二回収路と、前記選別室の下部にあって前記第二回収路よりも選別流路の上流側に設けられた遮風板と、前記選別室の下部にあって前記第二回収路よりも選別流路の下流側に設けられた第三回収路と、前記第三回収路から分岐されて選別流路の延在方向での上流方向に向けて延ばされた分岐路と、前記第三回収路と前記分岐路との分岐点に設けられた仕分板と、を備えることは好ましい。
【発明の効果】
【０００８】
本発明の一態様に係る粉粒体用風力選別装置によれば、選別流路に、選別する成分要素の回収量を調整可能な複数の回収路を設けたので、被選別粉粒体を選別する工程中で、分離する複数の成分要素から特定の成分要素の一部を別工程を設けることなく回収できる。また、それにより、原料の調整工程数を削減できるので、コストを低減させることができる。
【図面の簡単な説明】
【０００９】
【図１】本発明の一態様に係る風力選別装置の一実施形態を説明する模式的断面図である。
【図２】図１に示す選別流路の延在方向に沿って設けられた選別室を示す模式図である。
【図３】分離回収工程を説明するフローチャートである。
【図４】図１の風力選別装置のコントローラで実行される制御処理のフローチャートである。
【図５】図１の風力選別装置での主な気流の流れを矢印で示す模式的説明図である。
【発明を実施するための形態】
【００１０】
以下、本発明の一実施形態について、固形物を微粉化した粉粒体（粉砕混合物）の一例として、ビール原料である粉砕麦芽混合物の選別工程を例に図面を適宜参照しつつ説明する。
なお、図面は模式的なものである。そのため、厚みと平面寸法との関係、比率等は現実のものとは異なることに留意すべきであり、図面相互間においても互いの寸法の関係や比率が異なる部分が含まれている。また、以下に示す実施形態は、本発明の技術的思想を具体化するための装置や方法を例示するものであって、本発明の技術的思想は、構成部品の材質、形状、構造、配置等を下記の実施形態に特定するものではない。
【００１１】
図１に示す本実施形態の粉粒体用風力選別装置１００は、固形物を微粉化した粉粒体を構成する複数の成分要素相互を比重の違いにより選別する装置であって、特に、ビールの原料である麦芽の、内皮回収量調整機構を有する風力選別装置である。
同図に示すように、この風力選別装置１００は、一つの選別流路Ｒに、選別する成分要素の回収量を調整可能な複数の回収路３，４，５、１１を設け、複数の回収路３，４，５、１１に選別した複数の成分要素に対する三か所の貯留槽９，１２，１４を備えており、比重が比較的高い幼芽（高比重要素）、比重が中くらいの穀皮（中比重要素）および比重が比較的小さい内皮（小比重要素）の三つの成分要素を、一つの工程のみにより選別可能とし、さらに、後述する内皮回収量調整機構により、穀皮の全量と共に所望量の内皮を小比重要素回収量として一つの工程のみにより一の貯留槽１２から回収する例である。なお、各貯留槽９，１２，１４には、成分要素の回収状態を計測するセンサとして、重量計（不図示）が装備されており、それぞれの重量計により、各貯留槽９，１２，１４に貯留した内容物の随時の重量を計測可能になっている。
【００１２】
詳しくは、同図に示すように、この風力選別装置１００は、選別流路Ｒの延在方向に沿って斜めに設けられた選別室１０を有する。選別室１０の選別流路Ｒの最上流には送風機２が設けられ、選別室１０の上部の略中央には投入口１が設けられている。
選別室１０は、送風機２が設けられた側が最も低い位置とされ、選別流路Ｒの下流側に向かうにつれて高くなるように配置されている。送風機２には、送風機２の風量を調整する風量調整機構２ｄが付設され、風量調整機構２ｄは、コンピュータを含む制御装置であるコントローラ２０によって制御されるように構成されている。
【００１３】
本実施形態の選別室１０は、選別流路Ｒの傾斜角度を調整可能な傾倒姿勢調整機構１０ｄを送風機２の側に備える。傾倒姿勢調整機構１０ｄは、コントローラ２０によって制御されるように構成されている。本実施形態の選別室１０は、傾倒姿勢調整機構１０ｄの駆動により、送風機２の風量調整に加え、図２に示すように、選別室１０の傾斜角度の調整を行うことにより、複数の要素相互を比重差で一層精度よく分離可能に構成されている。なお、同図に示す符号ｂは、傾倒姿勢調整機構１０ｄの駆動による、選別室１０の傾倒姿勢調整動作方向を示している。
【００１４】
図１に戻り、選別室１０の下部には、選別流路Ｒの上流側から順に、第一回収路である幼芽分離路３と、第二回収路である穀皮回収路４と、第三回収路である不要内皮分離路５と、が設けられている。各回収路３，４，５は、基端側が選別流路Ｒに連通するように選別室１０に接続されるとともに、各回収路３，４，５の先端が下方に開口した略垂直な姿勢に配管されている。なお、各回収路３，４，５の基端部と選別室１０との接続部分は、フレキシブル性を有する不図示の継手を介して接続され、選別室１０の傾倒可能範囲での垂下姿勢が維持されるようになっている。
【００１５】
幼芽分離路３は、同図に示すように、選別室１０の最上流であって選別流路Ｒの延在方向での位置が送風機２よりも下流側に位置する。投入口１は、選別流路Ｒの延在方向での位置が幼芽分離路３よりも下流側に位置する。穀皮回収路４は、選別流路Ｒの延在方向での位置が投入口１よりも下流側に位置する。
選別室１０の下部にあって穀皮回収路４よりも選別流路Ｒの上流側には、遮風角度を調整可能な遮風板７が設けられている。遮風板７の基端部には、遮風板７の角度を調整する遮風角度調整機構７ｄが設けられ、遮風角度調整機構７ｄは、コントローラ２０によって制御されるように構成されている。なお、同図に示す符号ａは、遮風板７の傾倒姿勢調整動作方向を示している。
【００１６】
不要内皮分離路５は、選別室１０の選別流路Ｒの延在方向での最下流に位置する。不要内皮分離路５には、不要内皮分離路５の途中部分から分岐されて選別流路Ｒの延在方向での上流方向に向けて延ばされた分岐路である使用内皮回収路１１が回収路として設けられている。
不要内皮分離路５と使用内皮回収路１１との分岐点には、仕分角度を調整可能な仕分板６が設けられている。仕分板６の基端部には、仕分板６の仕分角度を調整する仕分角度調整機構６ｄが設けられ、仕分角度調整機構６ｄは、コントローラ２０によって制御されるように構成されている。なお、同図に示す符号ｃは、仕分板６の仕分姿勢調整動作方向を示している。
【００１７】
また、選別室１０の上部であって、選別流路Ｒの延在方向での位置が穀皮回収路４よりも下流側には、選別流路１０の排気量を調整可能な排気量調整管である開口量可変式の風速調整用流路８が配管されている。風速調整用流路８の開口部には、開口部の開口量を可変可能に構成された排気量調整機構８ｄが設けられている。
排気量調整機構８ｄは、コントローラ２０によって開口量が制御されるように構成されている。なお、同図に示す符号ｄおよびＤは、排気量調整機構８ｄの駆動により、風速調整用流路８の開口部が、小径ｄから大径Ｄの開口幅の範囲で排気量（ないしこれに伴う風速）を調整可能なイメージを示している。
【００１８】
さらに、選別室１０内の適所には、複数の風速計１３ａ〜１３ｃが設置されており、コントローラ２０は、これら複数の風速計１３ａ〜１３ｃによる計測値をフィードバックして、選別する成分要素の回収量が所望となるように送風量を調整可能になっている。本実施形態では、３つの風速計１３ａ〜１３ｃが設置され、最上流の第一風速計１３ａは、選別室１０の上部であって幼芽分離路３の上方且つ投入口１の近傍の位置に設置されている。
また、中央の第二風速計１３ｂは、選別室１０の上部であって穀皮回収路４よりも下流側且つ風速調整用流路８の開口部よりも上流側の位置に設置されている。さらに、最下流の第三風速計１３ｃは、選別室１０の上部であって不要内皮分離路５の上方の位置に設置されている。
【００１９】
これにより、この風力選別装置１００は、投入口１から糠（粉砕麦芽混合物）を投入し、比較的に高比重の幼芽を幼芽分離路３へと落下させ、比較的に中比重の穀皮を、送風機２からの風力により上方向へと運んで穀皮回収路４へと落下させるとともに、取り除かれる内皮（小比重）を、風力により最上部の不要内皮分離路５からそれぞれ回収可能になっている。また、この風力選別装置１００は、回収される内皮の一部が、使用内皮回収路１１を通過して穀皮・内皮回収槽１２にて穀皮と共に回収されるように構成されている。
【００２０】
次に、本実施形態の粉砕麦芽用風力選別装置１００の運転制御方法と動作について、図３および図４を参照しつつ説明する。本実施形態での運転制御に関する制御値は、試運転調整等によって予め定められた適正値を使用する（図３のステップＳ１）。
オペレータにより運転開始指令が風力選別装置１００のコントローラ２０に入力されると、コントローラ２０は、各重量計貯留槽９，１２，１４の計測値に基づいて、選別する成分要素の回収量を逐次フィードバック制御する。
【００２１】
つまり、コントローラ２０は、図４のステップＳ１１に移行して送風機２を予め定められた制御値にて運転開始する。同時に、コントローラ２０は、各貯留槽９，１２，１４に貯留した内容物の随時の重量を、各貯留槽９，１２，１４の重量計の計測値から取得する。そして、コントローラ２０は、風速計１３による計測結果に基づき、風力選別装置１００の選別流路Ｒ内の風量が安定したことが確認されたら、ステップＳ１２に移行して投入口１から粉砕麦芽混合物の投入を開始する（ステップＳ２）。
【００２２】
投入された粉砕麦芽混合物は、その成分要素の比重に応じて、風力選別装置１００の上流側から順に、高比重の幼芽、中比重の穀皮および小比重の内皮に一つの工程のみにより選別される。まず、高比重の幼芽は、遮風板７に遮られて、第一回収路である幼芽回収路３から第一貯留槽１４に回収される（ステップＳ３）。
ここで、図４に示す粉砕麦芽投入量Ｗに対する幼芽分離量ｗ１（高比重要素分離量）は、成分分析試験等の試験によって得られたデータから求められた幼芽分離比設定値Ｒ１（高比重要素分離比設定値）を目標とする制御値により所定範囲内になるように制御される。幼芽分離量ｗ１の制御は、送風機２の風量調整（ステップＳ２３）、遮風板７の角度調整（ステップＳ２４）および選別室１０の傾斜角度調整（ステップＳ２５）の３段階のステップにて行われる。
【００２３】
すなわち、コントローラ２０は、幼芽分離比ｗ１／Ｗが設定範囲（±σ１）を下回る場合（Ｒ１−σ１＜ｗ１／Ｗ）は（ステップＳ２１：Ｙｅｓ）、第１ステップとして、まずステップＳ２３に移行して、送風機２の送風量を制限値の範囲で調整して、ｗ１／Ｗが設定範囲（Ｒ１−σ１＜ｗ１／Ｗ＜Ｒ１＋σ１）に収まるように下流に流れる幼芽分離量ｗ１を調整する。コントローラ２０は、ｗ１／Ｗが設定範囲に収まったらこの送風条件を維持する。ここで、送風機２の風量調整量には制限値が設けられており（ステップＳ２１）、その制限値内の範囲内で幼芽分離比ｗ１／Ｗが設定範囲内に収まった場合には、下流の制御フローのステップＳ１４に移行する。
【００２４】
反対に、その制限値内での角度調整でｗ１／Ｗが設定範囲に制御できない場合は（ステップＳ２１：Ｎｏ）、コントローラ２０は、次に第２ステップとして（ステップＳ２２：Ｙｅｓ）、ステップＳ２４に移行して遮風板７の角度を次第に増やすように変化させて遮風調整（＋α）を行う。第２ステップにおいても第１ステップと同様に、角度調整量には制限値が設けられており（ステップＳ２２）、この制限値未満で幼芽分離比ｗ１／Ｗが設定範囲内に収まった場合には、下流の制御フローへと移行する。反対に、その制限値以内での風量調整でもｗ１／Ｗが設定範囲に制御できない場合は（ステップＳ２２：Ｎｏ）、コントローラ２０は、次に第３ステップとして、ステップＳ２５に移行して選別室１０のを次第に増やすように傾斜角度調整（＋Δ）を行う。
【００２５】
上流において幼芽分離量ｗ１の制御が幼芽分離比設定値Ｒ１に安定したら、コントローラ２０は、次に、ステップＳ１４に移行して内皮分離量ｗ３ａの制御へと移行する。つまり、遮風板７の上方を通過した粉砕麦芽混合物の残部は、中比重の穀皮と小比重の内皮が主成分となるところ、このうち、最終的に選別室１０の最後尾まで到達するのは内皮のみとなる。中比重の穀皮は、その前に、第二回収路である穀皮回収路４に落下して第二貯留槽１２に回収される（図３のステップＳ４）。
選別室１０の最後尾まで到達した内皮は、第三回収路である不要内皮回収路５を介して第三貯留槽９（図３のステップＳ５）、または分岐路である使用内皮回収路１１から穀皮・内皮用の第二回収槽１２に回収される（図３のステップＳ４）。
【００２６】
このとき、図４に示すステップＳ３１からの処理では、コントローラ２０は、内皮回収量ｗ３ａが適正範囲内となるように仕分板６の角度を調整して制御するが、実際の制御は、廃棄される側の内皮分離量ｗ３ａによって行う。つまり、コントローラ２０は、粉砕麦芽投入量Ｗ（粉砕混合物の投入量）に対する内皮分離比ｗ３ａ／Ｗ（小比重要素分離比）を内皮分離比設定値Ｒ３（小比重要素分離比設定値）に対する所定範囲内（Ｒ３−σ３＜ｗ３ａ／Ｗ＜Ｒ３＋σ３）に制御することにより、内皮回収量ｗ３ｂを適正範囲内となる量だけ回収するように制御する（図３のステップＳ６）。
【００２７】
内皮分離比ｗ３ａ／Ｗの制御は、第１ステップとして、仕分角度調整機構６ｄでの仕分板６の制限値内での角度調整と（ステップＳ３２）、第２ステップとして、排気量調整機構８ｄで排気量調整管８の排気量調整（ステップＳ３３）とによって行う。そして、コントローラ２０は、内皮回収量ｗ３ｂが適正量だけ回収されたら（ステップＳ１５のＹＥＳ）、ステップＳ１６に移行して投入口１からの粉砕麦芽混合物の投入を停止し、所定時間経過後に、ステップＳ１７に移行して送風機２の送風を停止して処理を終える。
【００２８】
このように、本実施形態の粉砕麦芽用風力選別装置１００によれば、一の選別流路Ｒに、選別する成分要素の回収量を調整可能な複数の回収路３、４、５、１１を設けたので、投入口１から粉砕麦芽混合物である糠を投入することで、幼芽（高比重）を分離路３へと落下させ第一貯留槽１４に貯留・回収し、穀皮（中比重）は送風機２からの風力により上方向へと運び穀皮回収路４へと落下させ第二貯留槽１２に貯留・回収し、また、取り除かれる内皮（小比重）は風力により最上部の不要内皮分離路５から第三貯留槽９に貯留・回収できる。
【００２９】
特に、回収される内皮のうちの一部は不要内皮分離路５から分岐する使用内皮回収路１１から第二貯留槽１２に戻されて穀皮と共に貯留・回収できる。つまり、本実施形態の粉砕麦芽用風力選別装置１００によれば、選別室１０の最上部にて不要内皮分離路５に回収された内皮は、傾きが可変式の仕分板６により、使用する指定量の内皮が使用内皮回収路１１を通り、穀皮・内皮回収用の第二回収槽１２にて穀皮と共に回収され、取り除かれる内皮は、不要内皮分離路５を通り第三貯留槽９にて貯留される。なお、上記のように、回収される内皮から任意量の回収が可能な構造であるならば、内皮仕切板６は、必ずしも可変式である必要はない。
【００３０】
なお、コントローラ２０は、第三貯留槽９にて回収された内皮の量を計測することで、投入した原料の量から算出した内皮の総量との比較により、穀皮と共に回収された内皮の量を算出できる。また、算出した内皮の量をフィードバックしてコントローラ２０が制御することで、指定量の内皮をより正確に回収できる。回収後に使用量を調整することなく、分離した成分から一定量を回収して使用可能となる。
また、この風力選別装置１００によれば、穀皮回収路４の手前に傾き角度が可変式の遮風板７を設置したので、落下中の幼芽が誤って風で舞い上がった際の穀皮回収路４への混入を防止できる。なお、高比重である幼芽が選別室１０内の上部へ舞い上がるほどの風を送ることは、本実施形態での用途上は行われないため、穀皮回収路４の手前に遮風板７を設置することで混入を確実に防ぐことができる。
【００３１】
また、図５に主な気流の流れを示すように、送風機２から送られる風Ａは、遮風板７により、選別流路Ｒの延在方向で遮風板７よりも下部の風は遮られる。そのため、風は遮風板７よりも後方では、選別室１０の下部と比べて上部に優先的に送られる。よって、遮風板７の傾き角度の変化にて遮る風速を調整することにより、選別流路の後方に送る風速を調整できる。なお、この風遮効果、風速調整効果および幼芽の混入を防ぐ効果を全て満たす構造であれば、構造はこの限りではない。
【００３２】
また、この風力選別装置１００は、選別室１０に可変式の風速調整用流路８を有し、風速調整用流路８は、排気量調整機構８ｄにより流路幅を小径ｄから大径Ｄの開口幅の範囲で可変式として流速の調整を可能としたので、選別室１０の上部に送られる風速を減少させ、穀皮と、回収する内皮とを穀皮回収路４へと効率良く落下させることができる。
なお、この可変式の風速調整用流路８から回収される要素は、内皮分として扱われ、図１に示すように、不要内皮回収路５で回収された内皮分と共に第三貯留槽９にて回収される。よって、風速調整用流路８についても、選別する成分要素の回収量を調整可能な複数の回収路のうちの一の回収路を構成する。なお、風速の調整が可能な機構であれば、流路幅調整による風量調整機構２ｄでなくてもよい。
【００３３】
すなわち、本実施形態の粉砕麦芽用風力選別装置１００によれば、一の選別流路Ｒの排気量を調整可能な排気量調整機構８ｄを有する排気量調整管且つ回収路である風速調整用流路８と、送風機２の風量を調整する風量調整機構２ｄと、遮風板７の角度を調整する遮風角度調整機構７ｄと、選別室１０の傾斜角度を調整する傾斜角度調整機構１０ｄと、仕分板６の仕分角度を調整する仕分角度調整機構６ｄと、風量調整機構２ｄ、遮風角度調整機構７ｄ、傾斜角度調整機構１０ｄおよび仕分角度調整機構６ｄ並びに排気量調整機構８ｄをそれぞれ制御する処理を実行するコントローラ２０と、を備える構成としているので、分離する被選別粉粒体の成分要素のうち指定量のみを別工程を設けることなく回収する上で好適である。
【００３４】
また、本実施形態の粉砕麦芽用風力選別装置１００によれば、回収状態を計測するセンサとして、選別する成分要素の回収量を計測する重量計を各貯留槽９，１２，１４に備え、コントローラ２０は、各重量計による計測値に基づいて、選別する成分要素の回収量を逐次フィードバック制御するので、分離する被選別粉粒体の成分要素のうち指定量のみを別工程を設けることなく回収する上でより好適である。
【００３５】
また、本実施形態の粉砕麦芽用風力選別装置１００によれば、選別室１０内の適所に複数の風速計１３ａ〜１３ｃを設置し、各風速計１３ａ〜１３ｃの計測値をコントローラ２０にフィードバックし、コントローラ２０が適切に送風量を調整するとともに、送風機２の風量の調整とともに、選別室１０の傾きの調整を加えることにより、より精度よく所望する要素を分離して回収可能とする逐次フィードバック制御の構成として優れている。
以上説明したように、本実施形態の風力選別装置によれば、粉砕麦芽混合物から、必要とする穀皮と内皮とを効率よく回収可能であり、分離する内皮のうち所望の使用量のみを別工程を設けることなく一の工程中で回収できる。
【００３６】
なお、上記実施形態はあくまでも一例であり、本発明に係る風力選別装置は、上記実施形態に限定されるものではなく、本発明の趣旨を逸脱しなければ種々の変形が可能である。例えば、上記実施形態では、選別の対象として粉砕麦芽混合物を例に説明したが、これに限らず、本発明は、分離する被選別粉粒体の成分要素のうちの所望量を、別工程を設けることなく一つの工程中にて回収する用途であれば、種々の用途に採用できることは勿論である。
また、例えば上記実施形態では、第二回収路と第三回収路とは、選別流路の延在方向にて隣り合っている例を示したが、これに限らず、その間に複数の回収路を更に設け、第二回収路で選別される被選別物よりも比重が小さく第三回収路にて選別される被選別物よりは比重が大きい粉粒体を選別して分離する構成であってもよい。
【符号の説明】
【００３７】
１…投入口
２…送風機
３…幼芽分離路（第一回収路）
４…穀皮回収路（第二回収路）
５…不要内皮分離路（第三回収路）
６…仕分板（仕分板）
７…遮風板
８…風速調整用流路（排気量調整管（第四回収路））
９…第三貯留槽
１０…選別室
１１…使用内皮回収路（分岐路）
１２…第二貯留槽
１３ａ、１３ｂ、１３ｃ…風速計
１４…第一貯留槽
１００…風力選別装置
ａ…遮風板の傾倒姿勢調整動作方向
ｂ…選別室の傾倒姿勢調整動作方向
ｃ…仕分板の傾倒姿勢調整動作方向
ｄ〜Ｄ…流路幅による風速調整方向
Ａ…風の流れ
Ｒ…選別流路（選別分離経路）
【図１】
2019166512.tif 000003
【図２】
2019166512.tif 000004
【図３】
2019166512.tif 000005
【図４】
2019166512.tif 000006
【図５】
2019166512.tif 000007